(57)【特許請求の範囲】
【請求項１】
釣用ケ−ス本体に、別体の柔軟性と気密性を有する材料からなる空気室を有する保護ケ−スを収納したことを特徴とする釣用ケ−ス。
【請求項２】
保護ケ−スは釣用ケ−ス本体内側に部分的に止着したことを特徴とする請求項１記載の釣用ケ−ス。
【請求項３】
保護ケ−スは釣用ケ−ス本体内側に着脱自在に止着したことを特徴とする請求項１または２記載の釣用ケ−ス。
【発明の詳細な説明】
【０００１】
【発明の属する技術分野】
本発明は、釣竿やリ−ル等を外部衝撃や岩場での接触による損傷等から保護する釣用ケ−スの改良に関する。
【０００２】
【従来の技術】
従来から釣竿やリ−ルを外部衝撃等から保護する釣用ケ−スとしては、釣用ケ−ス（外装体）に発泡シ−ト材を内包したり、釣用ケ−ス内の魚釣用リ−ルを発泡シ−トなどのクッション材を内包する内部ケ−スで包み込んでいる。
この内部ケ−スは縫製加工品であり、生産に手間が掛かり、且つ保護が不十分であり、クッション性を上げる為には発泡シ−ト材を厚くするしかなく、全体の構成が大きくなると共に、手加工品の為、製品の寸法にバラツキが発生するため生産管理が難しくなる。
収容室の外側に空気室を設けたケ−スが例えば、特開平１１−２３５１４３号公報で紹介されている。
このケ−ス（外装体）はケ−スそのものが空気室となっているため、空気を排出させてコンパクトにすることができ携帯に便利なケ−スであるが、釣り場に持ち込むと、釣り針等が刺さり易く、空気室の空気が抜けると収納した釣竿等が保護出来なくなるおそれがあった。
【０００３】
【発明が解決しようとする課題】
解決しようとする問題点は、ケ−ス（外装体）そのものが空気室となっているものは、釣り場に持ち込むと、釣り針等が刺さり易く、空気室の空気が抜けると収納した釣竿等が保護出来なくなるおそれがあることである。
【０００４】
本発明の目的は前記欠点に鑑み、保護する釣り具を収納する空気室を有する保護ケ−スを釣用ケ−ス本体の中に別体に設けて釣り具を保護する釣用ケ−スを提供することである。
【０００５】
【課題を解決するための手段】
上記課題を解決するために、
請求項１に係わる本発明は、釣用ケ−ス本体に、別体の柔軟性と気密性を有する材料からなる空気室を有する保護ケ−スを収納したことを要旨とするものである。
請求項２に係わる本発明は、保護ケ−スは釣用ケ−ス本体内側に部分的に止着したことを要旨とするものである。
請求項３に係わる本発明は、保護ケ−スは釣用ケ−ス本体内側に着脱自在に止着したことを要旨とするものである。
【０００６】
【発明の実施の形態】
請求項１の本発明により、保護ケ−ス３、７、８、９には空気室αが設けられているので、保護ケ−ス３、７、８、９の中に収納した釣竿４や魚釣用リ−ル６等の釣り具が外部衝撃等から保護できると共に、保護ケ−ス３、７、８、９の外側に外装体の釣用ケ−ス本体１、１′があるから、釣り針等で保護ケ−ス３、７、８、９に孔を開けてしまうことが防止される。
保護ケ−ス３、７、８、９は一体成形出来るので、サイズ等のバラツキがなく、生産も簡単になり、コストの低減が図れる。
外部衝撃等を空気室αで吸収する構成としたので、軽量化され、水中に落としても浮かせることが出来る。
【０００７】
請求項２の本発明により、保護ケ−ス３、７、８は釣用ケ−ス本体１内側に部分的にベルベット式面ファスナ１８、１９、２０、２１で止着されているため、保護ケ−ス３、７、８は釣用ケ−ス本体１内で適度に保持されると共に、外装体の釣用ケ−ス本体１に釣り針等が刺さっても止着していない部分は釣用ケ−ス本体１と保護ケ−ス３、７、８の間に遊びがあるため逃げて保護ケ−ス３に孔を開けてしまうことが防止される。
請求項３の本発明により、釣用ケ−ス本体１、１′から保護ケ−ス３、７、８、９が取り外し可能なので、保護ケ−ス３、７、８、９の洗浄や修理や取り替えが容易に行える。
【０００８】
【実施例】
以下、図示の実施例によって本発明を説明すると、図１から図７は第１実施例で、図１は釣用ケ−スの斜視図、図２は釣用ケ−スの縦断面側面図、図３は図２の要部拡大縦断面側面図、図４は保護ケ−スの分解側面図、図５は保護ケ−スの分解斜視図、図６は保護ケ−スの斜視図、図７は保護ケ−スの底側一部断面側面図である。
【０００９】
釣用ケ−ス本体１は筒状部１ａと両面の膨出部１ｂ、１ｃと縦帯状部１ｄで縦長袋状に形成されて底部に硬質の有底筒部材２が固定されている。
筒状部１ａと膨出部１ｂ、１ｃの外側材ａと内側材ｂは接着されたり、周囲に沿って縫合されて一体的に形成されている。
筒状部１ａと膨出部１ｂ、１ｃの外側材ａと内側材ｂと、縦帯状部１ｄの外側材ａ′と内側材ｂ′は夫々布地やナイロン、塩化ビニ−ル、ポリプロピレン等の合成樹脂繊維の織布で形成されている。
筒状部１ａの外側材ａと内側材ｂの間にはポリエチレンボ−ド等の硬質合成樹脂板１０が介在されて湾曲筒状に形成されている。
膨出部１ｂ、１ｃの外側材ａと内側材ｂと、縦帯状部１ｄの外側材ａ′と内側材ｂ′の間にはポリエチレンフォ−ム等の弾性を有する緩衝材１１が包み込まれている。
【００１０】
釣用ケ−ス本体１の筒状部１ａと膨出部１ｂに対して縦帯状部１ｄの縦方向の一側は縫着等で固定され、膨出部１ｃに対して縦帯状部１ｄの縦方向の他側は係合チャック１２、１３で開口するように形成されている。
筒状部１ａの外側には縦方向に肩掛けバンド１４と取っ手ハンドル１５が取り付けられ、上端に取っ手ハンドル１６が取り付けられている。
膨出部１ｃの外側にはポケット１７が固定されている。
釣用ケ−ス本体１の内部の筒状部１ａと縦帯状部１ｄにベルベット式面ファスナで保護ケ−ス３が脱着可能に設けられている。
筒状部１ａと縦帯状部１ｄにはベルベット式面ファスナ１８、１９が固定されている。
保護ケ−ス３には夫々対応するベルベット式面ファスナ１８、１９に貼着して釣用ケ−ス本体１に保護ケ−ス３を止着するベルベット式面ファスナ２０、２１が固定されている。
保護ケ−ス３の内部に釣竿４の複数本の緊締紐２２の中央が固定されている。
【００１１】
保護ケ−ス３は外形成材３′と内形成材３″で形成されて外形成材３′と内形成材３″間に空気室αが形成されている。
外形成材３′と内形成材３″はポリ塩化ビニ−ルやポリウレタン等の柔軟性と気密性を有する材料で形成されている。
図４、図５のように外形成材３′と内形成材３″は相似形で、図示しない金型で形成される。
外形成材３′は凸状の底面３ａに周囲の縦面３ｂと縦面３ｂに外側に向けて鍔部３ｃが形成されている。
内形成材３″は凸状の底面３ｄに周囲の縦面３ｅと縦面３ｅに外側に向けて鍔部３ｆが形成されている。
縦面３ｅは縦面３ｂより短く形成されている。
外形成材３′と内形成材３″で保護ケ−ス３が形成される時は、鍔部３ｃに鍔部３ｆが重ねられて熱溶着された後鍔部３ｃと鍔部３ｆがカットされる。
【００１２】
この熱溶着によって外形成材３′と内形成材３″の間に空気室αが形成される。
熱溶着によって外形成材３′と内形成材３″の間に空気室αが形成された後図６、図７のように適宜間隔で外形成材３′と内形成材３″が部分的に上下から圧接熱溶着することで出来る連結部３ｇで空気室αが分割されると空気圧が高まり、かつ縦横の曲がりが補強される。
保護ケ−ス３の蓋体５についても図７のように、外形成材５′と内形成材５″が空気室βが形成されるように熱溶着で形成される。
釣用ケ−ス本体１の中に保護ケ−ス３はベルベット式面ファスナ１８、１９、２０、２１で膨出部１ｂと取っ手ハンドル１５の近傍に止着され、保護ケ−ス３の内部に魚釣用リ−ル６が装着され釣竿４が複数本の緊締紐２２で止められ、魚釣用リ−ル６は保護ケ−ス３の凸状部分に収納される。
【００１３】
釣用ケ−ス本体１の中の保護ケ−ス３の内部に釣竿４とリ−ル６が収納されると、保護ケ−ス３には空気室αが設けられているので、保護ケ−ス３の中に収納した釣竿４や魚釣用リ−ル６等の釣り具が外部衝撃等から保護できると共に、保護ケ−ス３の外側に外装体の釣用ケ−ス本体１があるから、釣り針等で保護ケ−ス３に孔を開けてしまうことがない。
特に釣用ケ−ス本体１の外側材ａを織布で形成すると、釣り針が刺さっても釣針のかえし部分が繊維に掛かって針先が返されてしまうため深く刺さり難く、保護ケース３に孔が開き難い。
保護ケ−ス３は一体成形出来るので、サイズ等のバラツキがなく、生産も簡単になり、コストの低減が図れる。
又、表面を滑面状にしているため釣り針が刺さり難い。
【００１４】
保護ケ−ス３は釣用ケ−ス本体１内側に全体を止めないで部分的にベルベット式面ファスナ１８、１９、２０、２１で止着されているため、保護ケ−ス３は釣用ケ−ス本体１内で適度に保持されると共に、外装体の釣用ケ−ス本体１に釣り針等が刺さっても止着していない部分は釣用ケ−ス本体１と保護ケ−ス３の間に遊びがあるため逃げて保護ケ−ス３に孔を開けてしまうことがない。
【００１５】
保護ケ−ス３のクッション性の加減は、構成材の固さ、厚さ、外壁、内壁の外形成材３′と内形成材３″の間隔、密閉空気圧等により自由に出来る。
又、保護ケ−ス３自身に適度な形状保持性があれば空気室αは完全に密閉されていなくともよい。
釣用ケ−ス本体１から保護ケ−ス３が取り外し可能なので、保護ケ−ス３の洗浄や修理や取り替えができる。
釣用ケ−ス本体１が合成樹脂の織布で形成されていると表面が摩耗に強くなり、保護ケ−ス３の破損をより確実に防止できる。
【００１６】
前記のように釣用ケ−スが構成されると、保護ケ−ス３には空気室αが設けられているので、保護ケ−ス３の中に収納した釣竿４やリ−ル６等の釣り具が外部衝撃等から保護できると共に、保護ケ−ス３の外側に外装体の釣用ケ−ス本体１があるから、釣り針等で保護ケ−ス３に孔を開けてしまうことが防止される。
保護ケ−ス３は一体成形出来るので、サイズ等のバラツキがなく、生産も簡単になり、コストの低減が図れる。
【００１７】
保護ケ−ス３は釣用ケ−ス本体１内側に部分的にベルベット式面ファスナ１８、１９、２０、２１で止着されているため、保護ケ−ス３は釣用ケ−ス本体１内で適度に保持されると共に、外装体の釣用ケ−ス本体１に釣り針等が刺さっても止着していない部分は釣用ケ−ス本体１と保護ケ−ス３の間に遊びがあるため逃げて保護ケ−ス３に孔を開けてしまうことが防止される。
釣用ケ−ス本体１から保護ケ−ス３が取り外し可能なので、保護ケ−ス３の洗浄や修理や取り替えが容易に行える。
外部衝撃等を空気室αで吸収する構成としたので、軽量化され、水中に落としても浮かせることが出来る。
【００１８】
図８は保護ケ−スの変形例で、図８は保護ケ−スの底側一部断面側面図である。
【００１９】
変形例の保護ケ−ス３の外形成材３′には空気注入口３ｈが設けられて空気栓２３が嵌め込まれている。
空気注入口３ｈから空気室αに空気を注入後、空気注入口３ｈを熱溶着で閉塞してもよい。
保護ケ−ス３が形成される時は前記第１実施例と同様に、外形成材３′と内形成材３″が夫々形成された後重ねられて外形成材３′と内形成材３″の間に空気室αが形成されるように一体化してもよいし、図示しない金型の中に袋状の保護ケ−ス形成材を挿入して空気圧を加えながら加熱で開口を溶着して閉塞して形成してもよい。
更に保護ケ−ス３の各辺壁を熱溶着して形成してもよい。
又、ブロ−成形で空気室αを有する保護ケ−ス３を一体に成形しても良い。
【００２０】
図９、図１０は第２実施例で、図９は釣用ケ−スの要部拡大縦断面側面図、図１０は保護ケ−スの分解側面図である。
【００２１】
第２実施例では、魚釣用リ−ル６のみ保護ケ−ス７に収納されている。
保護ケ−ス７は前記第１実施例と同様に、外形成材７′と内形成材７″で形成されて外形成材７′と内形成材７″間に空気室αが形成されている。
外形成材７′と内形成材７″はポリ塩化ビニ−ルやポリウレタン等の柔軟性と気密性を有する材料で形成されている。
図１０のように外形成材７′と内形成材７″は相似形で、図示しない金型で形成される。
【００２２】
外形成材７′は四角形の底面７ａに周囲の縦面７ｂと縦面７ｂに外側に向けて鍔部７ｃと鍔部７ｄが形成されている。
内形成材７″は四角形の底面７ｅに周囲の縦面７ｆと縦面７ｆに外側に向けて鍔部７ｇと鍔部７ｈが形成されている。
縦面７ｆは縦面７ｂより短く形成されている。
外形成材７′と内形成材７″で保護ケ−ス７が形成される時は、鍔部７ｃに鍔部７ｇが、鍔部７ｄに鍔部７ｈが重ねられて熱溶着された後、鍔部７ｃ、７ｄと鍔部７ｇ、７ｈがカットされる。
【００２３】
この熱溶着によって外形成材７′と内形成材７″の間に空気室αが形成される。
釣用ケ−ス本体１の中に保護ケ−ス７はベルベット式面ファスナ１８、１９、２０、２１で止着され、釣用ケ−ス本体１の内部に釣竿４が複数本の緊締紐２２で止められる。
保護ケ−ス７の一側には切欠き部７ｉが形成されている。
前記第１実施例と同様に、適宜間隔で外形成材７′と内形成材７″を部分的に上下から圧接熱溶着することで出来る連結部で空気室αを分割してもよい。
他の構成は前記第１実施例と略同一である。
【００２４】
保護ケ−ス７の中に魚釣用リ−ル６が収納され、筒状部１ａ内に収納された釣竿４は緊締紐２２で取り付けられ、釣竿４に取り付けられた魚釣用リ−ル６のリ−ル脚６ａは保護ケ−ス７の切欠き部７ｉを通されている。
保護ケ−ス７は釣用ケ−ス本体１の中で脱着可能に設けられているので、位置を選択して取り付けられ、複数本の釣竿４と魚釣用リ−ル６がぶつかり合うことなく収納出来ると共に、リ−ル脚６ａの釣竿４への取り付け位置や魚釣用リ−ル６の大きさや形状に制約されずに収納出来る。
保護ケ−ス７に切欠き部７ｉが設けられていると、釣竿４に魚釣用リ−ル６を装着したまま釣用ケ−ス本体１の中に収納することができる。
【００２５】
図１１は第２実施例の保護ケ−スの変形例で、図１１は保護ケ−スの斜視図である。
【００２６】
第２実施例の変形例の保護ケ−ス８は、保護ケ−スが２組一体に形成されている。
他の構成は前記第２実施例と略同一である。
【００２７】
図１２、図１３は保護ケ−スの第３変形例で、図１２は保護ケ−スの斜視図、図１３は保護ケ−スの断面側面図である。
【００２８】
第３変形例の保護ケ−ス７は第２実施例の保護ケ−ス７の底部に、適宜間隔で外形成材７′と内形成材７″を部分的に上下から圧接熱溶着することで出来る連結部７ｊで空気室αが分割されている。
保護ケ−ス７の一側には切欠き部７ｋが形成されている。
他の構成は前記第２実施例と略同一である。
【００２９】
図１４は保護ケ−スの第４変形例で、図１４は保護ケ−スの斜視図である。
【００３０】
第４変形例の保護ケ−ス７は第３変形例の保護ケ−ス７に蓋体５′が取り付けられている。
他の構成は前記第２実施例と略同一である。
【００３１】
図１５は保護ケ−スの第５変形例で、図１５は保護ケ−スの斜視図である。
【００３２】
第５変形例の保護ケ−ス７は第３変形例の保護ケ−ス７の切欠き部７ｋが省略されている。
他の構成は前記第２実施例と略同一である。
【００３３】
図１６は保護ケ−スの第６変形例で、図１６は保護ケ−スの斜視図である。
【００３４】
第６変形例の保護ケ−ス７は第３変形例の保護ケ−ス７の底部がなく、大きな切欠き部７ｍが形成されている。
他の構成は前記第２実施例と略同一である。
【００３５】
前記説明では、魚釣用リ−ル６を魚釣用スピニングリ−ルで図示したが、他の形式のリ−ルとしてもよい。
【００３６】
図１７は第３実施例で、図１７は釣用ケ−スと保護ケ−スの分解斜視図である。
【００３７】
第３実施例は、小物入れやク−ラ−や撒餌入れ等の釣用ケ−スである。
釣用ケ−ス本体１′の中に保護ケ−ス９が収納される。
釣用ケ−ス本体１′は布地やナイロン、塩化ビニ−ル、ポリプロピレン等の繊維の織布で形成されて両側に握り手２４が固定され、蓋体１″が取り付けられている。
保護ケ−ス９は前記他の保護ケ−スと同様に空気室を有するように形成されて蓋体５′が取り付けられ、図示しないが、その底面は釣り用ケース本体１′の内側底面にベルベット式ファスナーで着脱自在に出来るようになっている。
【００３８】
【発明の効果】
本発明は、以上説明したような形態で実施され、以下に記載されるような効果を奏する。
【００３９】
請求項１により、保護ケ−スには空気室が設けられているので、保護ケ−スの中に収納した釣竿や魚釣用リ−ル等の釣り具が外部衝撃等から保護できると共に、保護ケ−スの外側に外装体の釣用ケ−ス本体があるから、釣り針等で保護ケ−スに孔を開けてしまうことが防止される。
【００４０】
請求項２により、保護ケ−スは釣用ケ−ス本体内側に部分的に止着されているため、保護ケ−スは釣用ケ−ス本体内で適度に保持されると共に、外装体の釣用ケ−ス本体に釣り針等が刺さっても止着していない部分は釣用ケ−ス本体と保護ケ−スの間に遊びがあるため逃げて保護ケ−スに孔を開けてしまうことが防止される。
請求項３により、釣用ケ−ス本体から保護ケ−スが取り外し可能なので、保護ケ−スの洗浄や修理や取り替えが容易に行える。
【図面の簡単な説明】
【図１】第１実施例で、釣用ケ−スの斜視図である。
【図２】同釣用ケ−スの縦断面側面図である。
【図３】同図２の要部拡大縦断面側面図である。
【図４】同保護ケ−スの分解側面図である。
【図５】同保護ケ−スの分解斜視図である。
【図６】同保護ケ−スの斜視図である。
【図７】同保護ケ−スの底側一部断面側面図である。
【図８】保護ケ−スの変形例で、保護ケ−スの底側一部断面側面図である。
【図９】第２実施例で、釣用ケ−スの要部拡大縦断面側面図である。
【図１０】同保護ケ−スの分解側面図である。
【図１１】第２実施例の保護ケ−スの変形例で、保護ケ−スの斜視図である。
【図１２】保護ケ−スの第３変形例で、保護ケ−スの斜視図である。
【図１３】同保護ケ−スの断面側面図である。
【図１４】保護ケ−スの第４変形例で、保護ケ−スの斜視図である。
【図１５】保護ケ−スの第５変形例で、保護ケ−スの斜視図である。
【図１６】保護ケ−スの第６変形例で、保護ケ−スの斜視図である。
【図１７】第３実施例で、釣用ケ−スと保護ケ−スの分解斜視図である。
【符号の説明】
１、１′  釣用ケ−ス本体
３、７、８、９  保護ケ−ス
α、β  空気室
【図１】
0004213328.tif 000002
【図２】
0004213328.tif 000003
【図３】
0004213328.tif 000004
【図４】
0004213328.tif 000005
【図５】
0004213328.tif 000006
【図６】
0004213328.tif 000007
【図７】
0004213328.tif 000008
【図８】
0004213328.tif 000009
【図９】
0004213328.tif 000010
【図１０】
0004213328.tif 000011
【図１１】
0004213328.tif 000012
【図１２】
0004213328.tif 000013
【図１３】
0004213328.tif 000014
【図１４】
0004213328.tif 000015
【図１５】
0004213328.tif 000016
【図１６】
0004213328.tif 000017
【図１７】
0004213328.tif 000018